(57)【要約】【課題】  配光を比較的に均一とすることができる照明器具を提供する。【解決手段】  パイプ１の間隔ＡをランプＬａの管軸方向での長さＬよりも長くし、器具本体２とパイプ１との連結部が鉛直方向から見てランプＬａの管軸方向の両端側に位置してランプＬａに重ならないようにした。パイプ１の間隔ＡがランプＬａの管軸方向での長さＬよりも短く器具本体２とパイプ１との連結部がランプＬａに重なる場合に比べ、パイプ１がランプＬａの光を遮りにくいから、配光を比較的に均一とすることができる。【選択図】図１
2008098111.tif 000002
【特許請求の範囲】
【請求項１】
直管型のランプを保持するとともに天井面に対しパイプを介して吊下げ支持される器具本体と、
器具本体の上側において天井面に対して固定され下面がランプの光を反射する反射板とを備え、
鉛直方向から見て、器具本体とパイプとの連結部が、ランプの管軸方向においてランプよりも外側に位置することを特徴とする照明器具。
【請求項２】
器具本体は、ランプの下側に位置するルーバを有することを特徴とする請求項１記載の照明器具。
【発明の詳細な説明】
【技術分野】
【０００１】
本発明は、照明器具に関するものである。
【背景技術】
【０００２】
従来から、直管型のランプを保持し天井面に対してパイプを介して吊下げ支持される器具本体を備える照明器具が提供されている（例えば、特許文献１参照）
この種の照明器具として、器具本体の上側において天井面に対して固定されて下面がランプの光を反射する反射板を備えるものがある。この照明器具において、器具本体は、透光性を有する材料で構成されまたは開口からなりランプの光を上方へ出射させる窓部をランプの上側に有する。
【特許文献１】実開平５−９０７３６号公報
【発明の開示】
【発明が解決しようとする課題】
【０００３】
上記従来の照明器具において、パイプがランプの発光部の上側に位置する場合、パイプの影によって配光が不均一となってしまっていた。
【０００４】
本発明は、上記事由に鑑みて為されたものであり、その目的は、配光を比較的に均一とすることができる照明器具を提供することにある。
【課題を解決するための手段】
【０００５】
請求項１の発明は、直管型のランプを保持するとともに天井面に対しパイプを介して吊下げ支持される器具本体と、器具本体の上側において天井面に対して固定され下面がランプの光を反射する反射板とを備え、鉛直方向から見て、器具本体とパイプとの連結部が、ランプの管軸方向においてランプよりも外側に位置することを特徴とする。
【０００６】
この発明によれば、器具本体とパイプとの連結部がランプに重なる場合に比べ、パイプがランプの光を遮りにくいから、配光を比較的に均一とすることができる。
【０００７】
請求項２の発明は、請求項１の発明において、器具本体は、ランプの下側に位置するルーバを有することを特徴とする。
【０００８】
この発明によれば、ランプの直射光を低減することができる。
【発明の効果】
【０００９】
本発明によれば、鉛直方向から見て、器具本体とパイプとの連結部が、ランプの管軸方向においてランプよりも外側に位置することにより、器具本体とパイプとの連結部がランプに重なる場合に比べ、パイプがランプの光を遮りにくいから、配光を比較的に均一とすることができる。
【発明を実施するための最良の形態】
【００１０】
以下、本発明を実施するための最良の形態について、図面を参照しながら説明する。
【００１１】
本実施形態は、図１及び図２に示すように、天井面ＣＥから垂下されたパイプ１の下端部に連結されるとともに直管型の蛍光灯からなるランプＬａを保持した器具本体２と、上下に扁平な直方体形状であって器具本体２の上側において天井面ＣＥに対して固定され下面がランプＬａの光を反射する反射板３とを備える。パイプ１と反射板３とを天井面ＣＥに固定するに当たっては、パイプ１と反射板３とをそれぞれ天井面ＣＥに対して直接固定してもよいし、パイプ１と反射板３の一方を天井面ＣＥに直接固定し、その固定された一方に対して他方を連結するようにしてもよい。
【００１２】
器具本体２は、ランプＬａを囲む長方形枠状の本体部２１と、本体部２１の長手方向に並べて複数個、それぞれランプＬａの下側において本体部２１の短手方向の両端間に架設されて下方への直射光を低減するルーバ２２とを備える。すなわち、本願発明においては、ランプＬａの光は、主に反射板３によって反射された後に下方へ照射される。
【００１３】
反射板３は、図１，図２及び図３（ａ）のような平面形状に限られず、図３（ｂ）のような凹曲面形状であってもよいし、図３（ｃ）のような三角波形状や図３（ｄ）のような凸曲面形状であってもよい。図３（ｂ）の例では、反射板３の一部は天井面ＣＥに設けられた埋込穴ＣＥ１に埋設されている。
【００１４】
器具本体２とパイプ１とを連結する方法としては、例えば、図４に示すように、器具本体２において厚さ方向を上下方向に向けた取付部２３を本体部２１の短手方向の両端間に架設し、パイプ１の外径Ｒ１よりも大きな内径Ｒ２を有しパイプ１を挿通可能な挿通穴２３ａを取付部２３に上下に貫設するとともに、この挿通穴２３ａに挿通不可能な程度に大きな外径Ｒ３を有するフランジ部１１をパイプ１の下端に設け、挿通穴２３ａにパイプ１を下方から挿入することにより、フランジ部１１によって取付部２３を支持する形にするという方法がある。また、他の方法として、図５に示すように、上記と同様の取付部２３を設け、水平方向の一方側に開放され幅寸法Ｗ１がパイプ１の外径Ｒ１よりも小さい切り欠き２３ｂを取付部２３に設けるとともに、パイプ１には切り欠き２３ｂの幅方向に合わせられる方向における寸法Ｗ２を切り欠き２３ｂの幅寸法Ｗ１よりも小さくする凹部１０ａを設け、パイプ１において凹部１０ａが設けられた部位を矢印Ａ１で示すように切り欠き２３ｂに導入するという方法がある。さらに、他の方法として、図６に示すように厚さ方向を水平方向に向けた取付部２３を設け、取付部２３にねじ挿通穴２３ｃを貫設するとともに、パイプ１の側面にねじ穴１０ｂを設け、ねじ挿通穴２３ｃに挿通されてねじ穴１０ｂに螺合するねじＳＣによって器具本体２をパイプ１にねじ止めするという方法もある。この方法において、取付部２３としては、本体部２１の長手方向の両端部を用いてもよい。
【００１５】
ここで、本実施形態では、図１に示すようにパイプ１の間隔ＡをランプＬａの管軸方向での長さＬよりも長くしており、器具本体２とパイプ１との連結部は、鉛直方向から見てランプＬａの管軸方向に関してランプＬａよりも外側に位置し、ランプＬａには重ならない。
【００１６】
上記構成によれば、図７に示すようにパイプ１の間隔ＡがランプＬａの管軸方向での長さＬよりも短く器具本体２とパイプ１との連結部がランプＬａに重なる場合に比べ、パイプ１がランプＬａの光を遮りにくいから、配光を比較的に均一とすることができる。
【００１７】
ここで、器具本体２とパイプ１との連結部が鉛直方向から見てランプＬａの端部に重なる照明器具を、ランプＬａの長さＬがより短い照明器具に交換する場合、交換後の照明器具において本実施形態の構成を採用すれば、器具本体２の外形を交換前のものと共通として交換を容易とすることができる。
【図面の簡単な説明】
【００１８】
【図１】本発明の実施形態を示す正面図である。
【図２】同上を示す斜視図である。
【図３】（ａ）〜（ｄ）はそれぞれ反射板の形状の例を示す説明図である。
【図４】同上における器具本体とパイプとの連結方法の一例を示す説明図である。
【図５】同上における器具本体とパイプとの連結方法の別の例を示す説明図である。
【図６】同上における器具本体とパイプとの連結方法の更に別の例を示す説明図である。
【図７】同上の比較例を示す正面図である。
【符号の説明】
【００１９】
１  パイプ
２  器具本体
３  反射板
Ｌａ  ランプ
【図１】
2008098111.tif 000003
【図２】
2008098111.tif 000004
【図３】
2008098111.tif 000005
【図４】
2008098111.tif 000006
【図５】
2008098111.tif 000007
【図６】
2008098111.tif 000008
【図７】
2008098111.tif 000009